(57)【特許請求の範囲】
【請求項１】
前面の上部に投入口を有すると共にその下方にヒンジによって外方に開放する開閉扉を設けてなる箱状の本体と、
前記投入口より本体内部方向に向けて固設した滑走プレートと、
前記本体内に収容する多数のハンガーを掛止する棒状の支持杆と、
前記本体内の左右側板に設けて前記支持杆の両遊端を前後方向にスライド自在に架設するレール部材と、
前記支持杆と前記開閉扉の内面との間に連結する押引杆
とを有する洗濯物受け渡し用通函兼ロッカー。
【請求項２】
前記本体の背板側に位置するハンガーと本体の背板内面との間に、上端部を前記滑走プレートの先端に固着する仕切布を配設してなる請求項１記載の洗濯物受け渡し用通函兼ロッカー。
【請求項３】
前記押引杆の一端は、開閉扉の内面に水平状に横架したガイド杆にスライド自在に連結してなる前記請求項１記載の洗濯物受け渡し用通函兼ロッカー。
【発明の詳細な説明】
【０００１】
【発明の属する技術分野】
本発明は洗濯物受け渡し用通函兼ロッカーの構造に関する。
【０００２】
【従来の技術】
従来、例えば、工場、病院等において、職員の洗濯物をクリーニング業者が受け渡しする際、洗濯物受け渡し用通函兼ロッカーを使用しているものがある。
【０００３】
これは、多数の洗濯仕上げ品をハンガーに掛け、これを内部に吊下して工場、病院に納入し、納入した工場、病院においては職業が受け渡し用通函をロッカーとして使用し、ロッカー内の洗濯仕上げ品をロッカーより取り出して着用し、汚れた衣服（被洗濯品）をロッカーの底部に投入している。
【０００４】
そして、ロッカー内から全ての洗濯仕上げ品を取り出した後、ロッカー内にたまった被洗濯品を、クリーニング業者がその被洗濯品をそれを収納するロッカーと共にクリーニング工場に搬出して、被洗濯品を洗濯し、洗濯仕上げ品をロッカー内のハンガーに掛けて、前記工場、病院等に搬入して設置している。
【０００５】
【発明が解決しようする課題】
以上の従来の洗濯物受け渡し用通函兼ロッカーは、洗濯仕上げ品と被洗濯品を工場、病院等において、一ケのボックス内に収納でき、洗濯物の受け渡し用通函がロッカーとして利用できるため、実用上頗る至便である。
【０００６】
しかし、ボックス内に洗濯仕上げ品と被洗濯品が混在し、被洗濯品を上部より内部に投入した際に、ボックス内の洗濯仕上げ品に接触し、洗浄仕上げ品を汚損する虞れがあった。
【０００７】
そこで、本発明は斯様な従来品の不具合を除去することを目的とする。
【０００８】
【課題を解決するための手段】
以上の目的を達成するための本発明に係る洗濯物受け渡し用通函兼ロッカーは、前面の上部に投入口を有すると共にその下方にヒンジによって外方に開放する開閉扉を設けてなる箱状の本体と、前記投入口より本体内部方向に向けて固設した滑走プレートと、本体内に収容する多数のハンガーを掛止する棒状の支持杆と、前記本体内の左右側板に設けて前記支持杆の両遊端を前後方向にスライド自在に架設するレール部材と、前記支持杆と前記開閉扉の内面との間に連結する押引杆とを有する構成である。
【０００９】
以上の構成により、工場、病院等において、洗濯仕上げ品を着用するために、開閉扉を開くと、それに連動してレール部材に両端が架設している支持杆が押引杆によって前方にスライドする。そのため、支持杆に掛止されているハンガーが洗濯仕上げ品と共に開閉扉方向に移動する。これにより、洗濯仕上げ品が取り出し易い位置になる。
【００１０】
また、支持杆の前方へのスライドにより、本体の奥部に空間部が生じ、この空間部を通して本体の内底部に、投入口より投入した被洗濯品が落下する。
【００１１】
また、前記本体の背板側に位置するハンガーと本体の背板内面との間に、上端部を前記滑走プレートの先端に固着する仕切布を配設してなることにより、投入口より投入した被洗濯物が本体内に収容している洗濯仕上げ品に対する接触を完全に防止できる。
【００１２】
更に、前記押引杆の一端は、開閉扉の内面に水平状に横架したガイド杆にスライド自在に連結してなることにより、開閉扉が押引杆によって開放量を制限されることなく１８０度開放でき、洗濯仕上げ品の本体内からの取り出しが更に容易になる。
【００１３】
【発明の実施の形態】
以下、本発明の実施の一形態を図面に基づいて説明する。
図１は本発明に係る洗濯物受け渡し用通函兼ロッカーを示し、本体１は密閉状の箱体に形成され底部にキャスター１４…を有し、前面部の上部に投入口Ａを有しその下方に開閉扉２がヒンジによって鎖線に示すように開放するように構成されている。図中１１は本体１を構成する側板、１０は同背板を各々示す。
【００１４】
前記投入口Ａは、上端の左右をピン（不図示）によって左右の側板１１、１１内面に枢着した回動蓋３によって閉口され、回動蓋３はその下部を本体１の内部方向に押動すると、鎖線に示すように、上端を回転中心に回動して投入口Ａが開口するように構成されている。
【００１５】
また、図示する本体１の底部には引き出し４が設けてあり、本体１内に収容した被洗濯物を外部に取り出すことができるようになっている。
【００１６】
本体１内には、図２、図３に示すように多数のハンガー５に掛着する洗濯仕上げ品５０が収容されており、この多数のハンガー５は一本の棒状支持杆７に吊下されている。
【００１７】
支持杆７は両遊端が本体１の左右側板１１、１１内面に固設したレール部材８、８にスライド自在に取付けてある。図示するレール部材８、８は、左右側板１１、１１に水平状に固着した金属プレートで、その水平方向には長孔８０が開孔され、この長孔８０内に前記支持杆７の両遊端がスライド自在に装着されている。
【００１８】
また、支持杆７の長さ方向の略中央には、押引杆６の一端が枢着され、この押引杆６は剛性を有するワイヤで形成されている。
【００１９】
押引杆６の他端部６０は、前記開閉扉２の内面２Ａに連結して、本体１内の洗濯仕上げ品５０を取り出す際に、開閉扉２をヒンジを中心に回動すると、押引杆６が引張られて前記支持杆７を開閉扉２方向に移動するように構成されている。
【００２０】
以上の押引杆６の他端部６０はワイヤに一体に形成したプレートで、このプレートに通孔が開孔され、この通孔内に、開閉扉２の内面２Ａに設けた直線状のワイヤかせなるガイド杆２１が挿通され、ガイド杆２１には図４に示すようにストッパ２２が固着され、押引杆６の他端部６０のスライド範囲を一定に規制して、開閉扉２を閉じた際に、押引杆６が本体１内に押動されてハンガー５の洗濯仕上げ品５０が本体１内に完全に収容できるようにしている。
【００２１】
前記投入口Ａにおける下端部から本体１の内部方向には滑走プレート９が先端方向に従って低く傾斜するように固設され、この滑走プレート９の先端部には仕切布９１の上端が掛止されている。
【００２２】
仕切布９１は本体１の背板１０及び左右側板１１、１１の内面側に沿って配設され、図示するように、底布９１Ａを一体に形成して、洗濯仕上げ品５０に被洗濯品５１が接触することがないように仕切っている。図中ロは、被洗濯品収容用の底部収容部を示す。
【００２３】
図４は洗濯仕上げ品５０を本体１内から取り出して着用する状態を示し、洗濯仕上げ品５０を取り出すために開閉扉２を開放すると、開閉扉２に連結する押引杆６が引張られて、支持杆７が開閉扉２方向にスライドする。
【００２４】
これにより、支持杆７に吊下する多数のハンガー５は、洗濯仕上げ品５０と共に本体１内から一部が外部に突出するため、洗濯仕上げ品５０の取り出しが容易になる。
【００２５】
また、支持杆７の前方へのスライドによって本体１の背板１０内面と仕切布９１との間に空間部イが生じる。この空間部イは前記底部収容部ロと連通する。
【００２６】
以上の洗濯仕上げ品５０を取り出して着用する際、汚れた衣服など着用していた被洗濯品５１を脱ぎ、この被洗濯品５１を投入口Ａから本体１内に投入する。
【００２７】
投入された被洗濯品５１は、図４に示すように、滑走プレート９から空間部イを通って底部収容部ロ内に落下する。
【００２８】
以上の開閉扉２を開放する際、押引杆６の一端がガイド杆２１にスライド自在に取付けてあるため、開閉扉２は押引杆６によって規制されずに本体１の前面と略平行になるまで開放でき、内部の洗濯仕上げ品５０の取り出しが更に容易になる。
【００２９】
そして、開閉扉２を閉めると、開閉扉２によって押引杆６は本体１の内部方向に押動されるため、支持杆７が内部方向にスライドして外部に突出していた洗濯仕上げ品５０が本体１内にハンガー６と共に収容され、図２、図３の状態になる。
【００３０】
以上の開閉扉２を閉じる際、押引杆６の一端６０は、ストッパ２２によってスライドが規制されるため、開閉扉２を閉じるのと連動して押引杆６を本体１の内部方向に押動する。これにより、支持杆７に吊下するハンガー６を内部に確実に移動させることができる。
【００３１】
【発明の効果】
本請求項１の発明によれば、開閉扉の開閉に連動してハンガーを吊下する支持杆を前後方向に移動させることができる。
従って、ハンガーに掛着する洗濯仕上げ品を取り出す際、洗濯仕上げ品の一部が本体の外部に突出するため、洗濯仕上げ品の本体からの取り出し性が良好となる。
【００３２】
また、洗濯仕上げ品を取り出して着用するために、既に着用していた汚れた被洗濯品を本体内に投入口より収容する際、本体内には洗濯仕上げ品が前方に移動したことによって生じる空間部が発生し、この空間部を通して投入口より投入した被洗濯品が本体の底部内に落下して収容することができる。
【００３３】
本請求項２の発明によれば、仕切布によって洗濯仕上げ品と被洗濯品とを完全に仕切ることができ、洗濯仕上げ品の衛生管理が良好となる。
【００３４】
本請求項３の発明によれば、押引杆によって開閉扉の開放量が制限されないため、洗濯仕上げ品の本体からの取り出しが更に容易になる。
【図面の簡単な説明】
【図１】斜視図である。
【図２】図１のIIーII線断面図である。
【図３】図１のIIIーIII線断面図である。
【図４】開閉扉を開放した状態の断面図である。
【符号の説明】
１      本体
２      開閉扉
５      ハンガー
６      押引杆
７      支持杆
８      レール部材
９      滑走プレート
Ａ      投入口
【図１】
0003638268.tif 000002
【図２】
0003638268.tif 000003
【図３】
0003638268.tif 000004
【図４】
0003638268.tif 000005